(57)【要約】取得部１８４は、電力需給の調整を行う調整期間と、当該調整期間に調整する電力である調整電力とを取得する。調整対象決定部１８５は、調整期間に所定の電気料金で充電または放電する調整対象の蓄電池を募集し、募集に対して応募した蓄電池の中から調整対象の蓄電池を調整電力に基づいて決定する。制御部１８６は、調整期間において、調整対象の蓄電池を所定の電気料金で充電または放電させ、調整対象の蓄電池とは異なる調整対象外の蓄電池を所定の電気料金とは異なる電気料金で充電または放電させる。
2015041010.tif 000002
【特許請求の範囲】
【請求項１】
電力需給の調整を行う調整期間と、当該調整期間に調整する電力である調整電力とを取得する取得部と、
前記調整期間に所定の電気料金で充電または放電する調整対象の蓄電池を募集し、前記募集に対して応募した蓄電池の中から前記調整対象の蓄電池を前記調整電力に基づいて決定する調整対象決定部と、
前記調整期間において、前記調整対象の蓄電池を前記所定の電気料金で充電または放電させ、前記調整対象の蓄電池とは異なる調整対象外の蓄電池を前記所定の電気料金とは異なる電気料金で充電または放電させる制御部と、を備える電力需給調整装置。
【請求項２】
前記蓄電池は、当該蓄電池に接続された充放電制御装置が通知された電気料金に応じて計画した期間に充電または放電され、
前記制御部は、前記調整対象の蓄電池に接続された前記充放電制御装置に前記調整期間の電気料金として前記所定の電気料金を通知し、前記調整対象外の蓄電池に接続された前記充放電制御装置に前記調整期間の電気料金として前記所定の電気料金と異なる電気料金を通知する、請求項１に記載の電力需給調整装置。
【請求項３】
前記取得部は、前記調整対象外の蓄電池に対する電気料金として、前記調整期間における前記調整対象外の蓄電池の充電に掛かる電気料金である第１の電気料金と、前記第１の電気料金よりも低く、前記調整期間外における前記調整対象外の蓄電池の充電に掛かる電気料金である第２の電気料金とを取得し、
前記調整対象決定部は、前記第２の電気料金よりも低く、前記調整期間における前記調整対象の蓄電池の充電に掛かる電気料金である第３の電気料金を前記所定の電気料金として前記調整対象の蓄電池を募集する、請求項１または２に記載の電力需給調整装置。
【請求項４】
前記取得部は、前記調整対象外の蓄電池に対する電気料金として、前記調整対象外の蓄電池の放電に掛かる電気料金である第４の電気料金を取得し、
前記調整対象決定部は、前記第４の電気料金よりも高く、前記調整期間における前記調整対象の蓄電池の放電に掛かる電気料金である第５の電気料金を前記所定の電気料金として前記調整対象の蓄電池を募集する、請求項１または２に記載の電力需給調整装置。
【請求項５】
前記調整対象決定部は、前記調整対象の蓄電池の充電電力または放電電力を固定値とし、前記調整電力および前記固定値に応じて定まる台数の前記蓄電池を前記調整対象の蓄電池とする、請求項１ないし４のいずれか１項に記載の電力需給調整装置。
【請求項６】
前記調整対象決定部は、前記応募した蓄電池のそれぞれから充電または放電に対する電気料金の入札額を受け付け、当該入札額に基づいて、前記応募した蓄電池から前記調整対象の蓄電池を決定する、請求項１ないし５のいずれか１項に記載の電力需給調整装置。
【請求項７】
前記調整対象決定部は、前記調整期間を複数の分割期間に分け、当該分割期間ごとに前記調整対象の蓄電池を決定する、請求項１ないし６のいずれか１項に記載の電力需給調整装置。
【請求項８】
環境条件に応じて決まる第１供給電力、および予測された需要電力と前記第１供給電力との差に応じた調整用の第２供給電力を含む電力が供給され、
前記調整期間は、前記第２供給電力が所定の範囲外となる期間である、請求項１ないし７のいずれか１項に記載の電力需給調整装置。
【請求項９】
蓄電池と、前記蓄電池および電力線網と接続され、当該接続された蓄電池の充放電を制御する充放電制御装置と、電力需給を調整する電力需給調整装置と、を備え、
前記電力需給調整装置は、
電力需給の調整を行う調整期間と、当該調整期間に調整する電力である調整電力とを取得する取得部と、
前記調整期間に所定の電気料金で充電または放電する調整対象の蓄電池を募集し、前記募集に対して応募した蓄電池の中から前記調整対象の蓄電池を前記調整電力に基づいて決定する調整対象決定部と、
前記調整期間において、前記調整対象の蓄電池を前記所定の電気料金で充電または放電させ、前記調整対象の蓄電池とは異なる調整対象外の蓄電池を前記所定の電気料金とは異なる電気料金で充電または放電させる制御部と、を有し、
前記充放電制御装置は、自身に接続された蓄電池の代わりに、前記募集に対して応募する、電力システム。
【請求項１０】
電力需給の調整を行う調整期間と、当該調整期間に調整する電力である調整電力とを取得し、
前記調整期間に所定の電気料金で充電または放電する調整対象の蓄電池を募集し、
前記募集に対して応募した蓄電池の中から前記調整対象の蓄電池を前記調整電力に基づいて決定し、
前記調整期間において、前記調整対象の蓄電池を前記所定の電気料金で充電または放電させ、前記調整対象の蓄電池とは異なる調整対象外の蓄電池を前記所定の電気料金とは異なる電気料金で充電または放電させる、電力需給調整方法。
【発明の詳細な説明】
【技術分野】
【０００１】
本発明は、電力線網と接続された蓄電池の充放電を制御する技術に関する。
【背景技術】
【０００２】
商用電力を需要家に供給する電力システムにおいて、需要家が必要とする電力は、季節や時間帯によって変動する。このため、電力システムの最大供給力は、予測される電力需要の最大値に合わせられており、電力需要がその予測される最大値に達していない場合、電力会社は、稼働させる発電機の台数を少なくしたり、発電機の発電出力を下げて稼働したりすることで、供給する電力を調整している。【０００３】
しかしながら、電力需要が最大値となることは、概ね年に数回程度である。このため、電力会社は、年に数回のためだけに電力需要の最大値に見合った最大供給力を維持しなければならず、電力システムの運用コストが高くなってしまうという問題があった。【０００４】
これに対して、必要に応じて電力の需給バランスを制御するデマンドレスポンスと呼ばれる技術が注目されている。例えば、デマンドレスポンスを用いて、電力需要が電力システムの最大供給力で供給できる電力に迫る電力需給逼迫状態となることが予測される期間に、需要家に対して消費電力を下げさせることで、電力需給逼迫状態を回避することができる。具体的には、デマンドレスポンスでは、電力需給逼迫状態となる期間に、電気料金として通常よりも高いピーク時間帯料金を徴収する旨の電気料金信号や、節電を要請する旨の節電指令などのデマンドレスポンス信号が需要家に通知され、需要家にエアコンの設定温度や照明機器の明るさを変化させて消費電力を下げさせる。デマンドレスポンスを用いた場合、最大供給力を下げても電力需給逼迫状態を回避することができるため、電力システムの運用コストを低くすることが可能になる。【０００５】
しかしながら、このデマンドレスポンスでは、需要家は、エアコンや照明機器などの電気機器の消費電力を下げる必要がある。消費電力を下げた場合、室内の温度を快適な温度に保つことができなくなったり、室内が暗くなってしまったりするなど、快適性が損なわれることが多い。このため、需要家が快適性を優先してデマンドレスポンスを利用しなかったり途中でキャンセルしたりしてしまい、電力システムの安定性が損なわれることがあった。【０００６】
また近年、電気自動車や、太陽光発電のような各需要家宅に設置される発電設備の普及に伴って、蓄電池を保有する需要家が増えてきた。このような蓄電池は、太陽光発電で発電された電力を一時的に蓄えて発電されない時間帯に使用したり、電気料金が安い時間帯に商用電力を蓄えておき、電気料金が高い時間帯に使用したりするために用いられている。【０００７】
例えば特許文献１には、蓄電池の充電を制御する充電制御装置が、蓄電池に蓄えられた電力の消費状況や、各時間帯の電気料金に基づいて蓄電池を充電する時間帯を決定することで、蓄電池の充電を計画的に行う技術が開示されている。
【先行技術文献】
【特許文献】
【０００８】
【特許文献１】特許第４９２０１２３号公報
【発明の概要】
【発明が解決しようとする課題】
【０００９】
しかしながら、蓄電池の充電を制御する技術をデマンドレスポンスに適用した場合、大容量の蓄電池が多くの需要家に普及したとき、電力システムの安定性が損なわれる可能性がある。【００１０】
具体的には、蓄電池は、一般的に充電に対する電気料金が安い時間帯にできるだけ早く充電を行うように制御されるため、デマンドレスポンスによって電気料金が時間帯に応じて一律に変えられると、電気料金が下がった時点で多くの蓄電池が同時に充電を開始してしまう。したがって、電力システムに接続された蓄電池が多い場合、電気料金が下がった時点で、電力システムにおける電力の需要が大きく変化してしまい、電力システムの安定性が損なわれる場合がある。【００１１】
また、現在では、蓄電池に蓄えられた電力を、商用電力を伝送する電力線網に放電する逆潮は許可されていないが、今後逆潮が許可されて逆潮された電力を電力会社が買い取る売電が行われるようになることが考えられる。この場合、蓄電池の充電を制御する場合と同様に放電を制御する技術をデマンドレスポンスに適用すると、蓄電池は、売電価格が高い時間帯に放電されると考えられるため、充電の場合と同様に、時間帯によって売電価格が一律に変わると、売電価格が上がった時点で多くの蓄電池が同時に放電を開始してしまう。したがって、電力システムに接続された蓄電池が多い場合、売電価格が上がった時点で、電力システムが供給する電力が大きく変化してしまい、電力システムの安定性が損なわれる場合がある。【００１２】
本発明の目的は、電力システムの安定性を向上させることが可能な電力需給調整装置、電力システム、および電力需給調整方法を提供することである。
【課題を解決するための手段】
【００１３】
本発明による電力需給調整装置は、
電力需給の調整を行う調整期間と、当該調整期間に調整する電力である調整電力とを取得する取得部と、
前記調整期間に所定の電気料金で充電または放電する調整対象の蓄電池を募集し、前記募集に対して応募した蓄電池の中から前記調整対象の蓄電池を前記調整電力に基づいて決定する調整対象決定部と、
前記調整期間において、前記調整対象の蓄電池を前記所定の電気料金で充電または放電させ、前記調整対象の蓄電池とは異なる調整対象外の蓄電池を前記所定の電気料金とは異なる電気料金で充電または放電させる制御部と、を有する。【００１４】
また、本発明による電力システムは、
蓄電池と、前記蓄電池および電力線網と接続され、当該接続された蓄電池の充放電を制御する充放電制御装置と、前記電力線網に対する電力需給を調整する電力需給調整装置と、を備え、
前記電力需給調整装置は、
電力需給の調整を行う調整期間と、当該調整期間に調整する電力である調整電力とを取得する取得部と、
前記調整期間に所定の電気料金で充電または放電する調整対象の蓄電池を募集し、前記募集に対して応募した蓄電池の中から前記調整対象の蓄電池を前記調整電力に基づいて決定する調整対象決定部と、
前記調整期間において、前記調整対象の蓄電池を前記所定の電気料金で充電または放電させ、前記調整対象の蓄電池とは異なる調整対象外の蓄電池を前記所定の電気料金とは異なる電気料金で充電または放電させる制御部と、を有し、
前記充放電制御装置は、自身に接続された蓄電池の代わりに、前記募集に対して応募する。【００１５】
また、本発明による電力需給調整方法は、
電力需給の調整を行う調整期間と、当該調整期間に調整する電力である調整電力とを取得し、
前記調整期間に所定の電気料金で充電または放電する調整対象の蓄電池を募集し、
前記募集に対して応募した蓄電池の中から前記調整対象の蓄電池を前記調整電力に基づいて決定し、
前記調整期間において、前記調整対象の蓄電池を前記所定の電気料金で充電または放電させ、前記調整対象の蓄電池とは異なる調整対象外の蓄電池を前記所定の電気料金とは異なる電気料金で充電または放電させる。
【発明の効果】
【００１６】
本発明によれば、電力システムの安定性を向上させることが可能である。
【図面の簡単な説明】
【００１７】
【図１】本発明の第１の実施形態にかかる電力システムの構成を示す図である。
【図２Ａ】需給計画サーバが電力需要を増やすために調整条件を決定する事例について説明するための図である。
【図２Ｂ】需給計画サーバが電力需要を増やすために調整条件を決定する事例について説明するための図である。
【図３Ａ】需給計画サーバが電力供給を増やすために調整条件を決定する事例について説明するための図である。
【図３Ｂ】需給計画サーバが電力供給を増やすために調整条件を決定する事例について説明するための図である。
【図４】各時間帯における電気料金と調整期間における調整電力とを示す図である。
【図５】ＤＲサーバの構成を示すブロック図である。
【図６】調整対象決定部が決定する詳細な調整条件について説明するための図である。
【図７】各期間における電気料金の関係の一例を示す図である。
【図８】調整対象決定部が決定した詳細な調整条件の一例を示す図である。
【図９】優先順位づけられた蓄電池の一例を示す図である。
【図１０】優先順位づけられた蓄電池の他の一例を示す図である。
【図１１】充電電力または放電電力を固定した場合に、調整対象決定部が決定した詳細な調整条件の一例について説明するための図である。
【図１２】充電電力を固定とした場合に、調整対象が決定した詳細な調整条件の一例を示す図である。
【図１３】優先順位づけられた蓄電池の他の一例を示す図である。
【図１４】ＤＲサーバの電力需給調整動作について説明するためのフローチャートである。
【図１５Ａ】電気料金を示す情報の掲示方法について説明するための図である。
【図１５Ｂ】電気料金を示す情報の掲示方法について説明するための図である。
【発明を実施するための形態】
【００１８】
以下、本発明の実施形態について添付の図面を参照して説明する。なお、本明細書および図面において、同一の機能を有する構成要素については同じ符号を付することにより重複説明を省略する場合がある。
【００１９】
電力システム１０は、発電機１１と、消費機器１２と、蓄電池１３と、充放電制御装置１４と、電力線網１５と、通信網１６と、需給計画サーバ１７と、ＤＲ（Ｄｅｍａｎｄ  Ｒｅｓｐｏｎｓｅ）サーバ１８とを有する。
【００２０】
発電機１１と、消費機器１２と、充放電制御装置１４とは電力線網１５で接続されており、発電機１１が生成した電力は、電力線網１５を介して消費機器１２を駆動する電力として消費されたり、電力線網１５および充放電制御装置１４を介して蓄電池１３に蓄えられたりする。
【００２１】
充放電制御装置１４、需給計画サーバ１７、およびＤＲサーバ１８は、通信網１６に接続される。また消費機器１２の一部も通信網１６に接続されている。
【００２２】
発電機１１は、例えば火力発電、水力発電、太陽光発電、風力発電、地熱発電、海洋温度差発電、および原子力発電など各種の発電方式を用いて電力を生成し、生成した電力を電力線網１５に出力する。図１では、１つの発電機１１が示されているが、実際には、電力線網１５には複数の発電機１１が接続されていることが多い。
【００２３】
本実施形態では、発電機１１は、一定の発電出力を保って稼働し続けるベース電力発電機１１Ａと、気温や風量などの環境条件によって発電出力が変動する変動電力発電機１１Ｂと、需給バランスを調整するために、電力需要の予測値と、ベース電力発電機１１Ａおよび変動電力発電機１１Ｂの発電出力の合計値との差異に応じた調整用の電力を発電する調整電力発電機１１Ｃとを含む。ベース電力発電機１１Ａは、一定の発電出力を計画的に維持することが可能な原子力発電などの発電方式を用いた発電機であり、変動電力発電機１１Ｂは、例えば、太陽光、風力、地熱などの再生可能エネルギーを利用した発電方式を用いた発電機であり、調整用発電機１１Ｃは、比較的即応性の高い火力発電などの発電方式を用いた発電機である。なお、ここで示した発電機１１の分類は、当該発電機１１が発電した電力の用途に応じたものであり、同じ発電方式の発電機１１が異なる用途に用いられることもある。
【００２４】
消費機器１２は、電力線網１５から供給される電力を用いて動作する装置である。消費機器１２は、例えばテレビ受像機、冷蔵庫、洗濯機、掃除機などの家電製品などである。なお、消費機器１２は、通信網１６に接続する通信インタフェースを有していてもよい。
【００２５】
蓄電池１３は、電力線網１５を介して伝送された電力を充電したり、蓄えられた電力を電力線網１５に放電したりすることができる。
【００２６】
充放電制御装置１４は、蓄電池１３への充電と蓄電池１３から電力線網１５への放電とを制御する。具体的には、充放電制御装置１４は、時間帯ごとの電気料金、蓄電池１３に蓄えられた電力の使用予定量および使用予定時間、蓄電池１３が充放電を行うことのできる時間帯である充放電可能時間帯などの条件に基づいて、蓄電池１３と電力線網１５との間における充放電を計画する。本実施形態では、ＤＲサーバ１８が各時間帯における電気料金を示す情報を提供するため、充放電制御装置１４は、ＤＲサーバ１８から電気料金を示す情報を取得して蓄電池１３の充放電を計画する。なお、本実施形態で電気料金は、蓄電池１３が充電する場合、蓄電池１３を保有する需要家が電力会社に対して支払う料金であり、蓄電池１３が放電する場合、需要家が電力会社から受け取る売電価格である。充放電制御装置１４は、例えば蓄電池１３に接続される充電器でもよいし、充電器に接続して充電器の動作を制御するコンピュータでもよい。また、蓄電池１３および充放電制御装置１４は、電気自動車や予備電源に備えられていてもよい。
【００２７】
電力線網１５は、発電機１１が生成した電力や、蓄電池１３が放電した電力を伝送する。
【００２８】
通信網１６は、インターネットやＬＡＮ（Ｌｏｃａｌ  Ａｒｅａ  Ｎｅｔｗｏｒｋ）などであり、公衆電話回線網、イーサネット（登録商標）、無線通信網などを含む。通信網１６は、各充放電制御装置１４が出力する応募メッセージを伝送したりする。
【００２９】
需給計画サーバ１７は、電力システム１０に接続された消費機器１２および蓄電池１３における電力需要を予測する電力需要予測機能と、電力システム１０が供給する供給電力を計画する供給電力計画機能と、電力システム１０の電力需給を調整する条件を決定する調整条件決定機能とを有する。
【００３０】
具体的には、需給計画サーバ１７は、例えば気温などの環境条件や電気料金などに基づいて、単位期間ごとに電力需要を予測する。また需給計画サーバ１７は、予測した電力需要に基づいて、電力システム１０の供給電力を計画する。このとき需給計画サーバ１７は、予測した需要電力と供給電力とが概ね一致するように、供給電力を計画する。なお、電力システム１０の供給電力は、ベース電力発電機１１Ａが発電した電力、変動電力発電機１１Ｂが発電した電力、および調整用発電機１１Ｃが発電した電力を含む。需給計画サーバ１７は、変動電力発電機１１Ｂが発電することのできる電力を、気温や風量などの環境条件に基づいて予測する機能を有し、予測した電力である変動供給電力およびベース電力発電機が発電する所定の電力であるベース供給電力とを合わせた第１供給電力と、予測した電力需要とに基づいて、調整用発電機１１Ｃの発電する電力を計画する。より具体的には、需給計画サーバ１７は、需要電力および第１供給電力の差に応じて第２供給電力を決定する。
【００３１】
需給計画サーバ１７は、電力需給を調整する調整条件を決定する。具体的には、需給計画サーバ１７は、調整条件として、電力需給を調整する期間である調整期間と、当該調整期間に調整する電力である調整電力とを決定する。需給計画サーバ１７は、決定した調整期間および調整電力を含む調整条件をＤＲサーバ１８に提供することができる。
【００３２】
図２Ａおよび図２Ｂは、需給計画サーバ１７が電力需要を増やすために調整条件を決定する事例について説明するための図である。図２Ａは、比較的電力需要の少ない一日において、需給計画サーバ１７が電力需給の調整を行う前に消費機器１２や蓄電池１３などの負荷で消費される電力である需要電力の一日の時間変化を示した需要曲線と、供給電力とを示している。なお、この例では、電力システム１０は、ベース電力発電機１１Ａと、変動電力発電機１１Ｂとしての太陽光発電機と、調整電力発電機１１Ｃとしての火力発電機とを有している。
【００３３】
この場合、所定期間において火力発電機が発電する電力は、当該期間におけるベース電力発電機１１Ａが発電する電力および太陽光発電機が発電する電力の合計が、予測される需要電力となるように決められ、これにより、電力の需給バランスをとっている。
【００３４】
しかしながら、図２Ａに示す第１期間ＴＰ１では、需要電力が、ベース供給電力に近いレベルまで低下しており、第１期間ＴＰ１では、稼働する火力発電機の台数が少なくなっている。稼働させていない状態の火力発電機を稼働させるまでには、時間がかかる。このため、稼働している火力発電機の台数が少なくなっている場合、１台の調整電力発電機に不具合が生じて緊急停止した場合、電力需要が供給している電力を上回って停電する可能性が高まっている。
【００３５】
また、図２Ａに示す第２期間ＴＰ２では、ベース供給電力と太陽光発電により発電する電力との合計が需要電力を上回っているため、火力発電によって需給バランスをとることができなくなっている。
【００３６】
したがって、第１期間ＴＰ１および第２期間ＴＰ２において、電力システム１０は、需給バランスの調整力が低下している。
【００３７】
これに対して、図２Ｂに示すように、需給計画サーバ１７は、第１期間ＴＰ１および第２期間ＴＰ２を調整期間として、これらの期間に蓄電池１３に充電させて電力需要を増やす。第２期間ＴＰ２では、需給計画サーバ１７は、蓄電池１３に充電させる電力を、ベース供給電力と太陽光発電が発電した電力との合計よりも需要電力が上回るように調整電力を決定することで、火力発電機が稼働するため、需給バランスをとることができるようになる。また、第１期間ＴＰ１および第２期間ＴＰ２では、需給計画サーバ１７は、需要電力が予め定められた最小値以上となるように、調整電力を決定することで、火力発電機の稼働台数が増え、需給バランスの調整力が高まり、電力システム１０の安定性を高めることができる。
【００３８】
図３Ａおよび図３Ｂは、需給計画サーバ１７が供給電力を増やすために調整条件を決定する事例について説明するための図である。図３Ａおよび図３Ｂは、比較的電力需要が高く、電力需給逼迫状態となることが予測されている１日において、需給計画サーバ１７が電力需給の調整を行う前の需要曲線と、供給電力とを示している。
【００３９】
この例では、図３Ａに示すように、電力需要が電力システムの最大供給力で供給できる電力に迫る状態でしか稼働しない需要ピーク用の調整電力発電機１１Ｃが第３期間ＴＰ３において稼働している。
【００４０】
これに対して、図３Ｂに示したように、電力需要のピークに見合った電力供給力よりも電力システム１０の最大供給力を引き下げて、供給電力が減った分を蓄電池１３からの放電で補うと、電力需要のピーク時にしか稼働しない調整用電力発電機１１Ｃが不要となり、電力システム１０の運用コストを削減することが可能になる。
【００４１】
この場合、需給計画サーバ１７は、電力需要が、調整用の電力の上限値を上回る期間を調整期間として、需要電力と第２供給電力との差を調整電力とすることができる。
【００４２】
したがって、需給計画サーバ１７は、例えば、第２供給電力に対する所定の範囲を予め設定しておき、第２供給電力が所定の範囲外となる期間を調整期間とする。この場合、所定の範囲の下限値は、調整電力発電機１１Ｃの稼働台数が、電力システム１０が安定的な供給電力を維持できる最小台数である場合に調整電力発電機１１Ｃが発電する電力に基づいて設定される。また、所定の範囲の上限値は、調整電力発電機１１Ｃが発電する電力の最大値に基づいて設定される。また需給計画サーバ１７は、第２供給電力が所定の範囲を下回る場合、調整電力として蓄電池１３に充電させる電力を決定し、第２供給電力が所定の範囲を上回る場合、調整電力として蓄電池１３に放電させる電力を決定する。
【００４３】
また、需給計画サーバ１７は、各時間帯における電気料金を決定する。図４は、各時間帯における電気料金と調整期間ＴＰにおいて蓄電池１３に充電させる充電電力レベルの計画値とを示す図である。図４の例では、蓄電池１３に充電させる電気料金が示されている。需給計画サーバ１７は、調整期間ＴＰを決定すると、図４の上図に示されるように、調整期間ＴＰにおける第２の電気料金ｂを調整期間ＴＰ以外の期間である非調整期間における第１の電気料金ａよりも高く設定する。需給計画サーバ１７は、この調整期間ＴＰ、調整電力、第１の電気料金ａおよび第２の第２の電気料金ｂを含む調整条件を、ＤＲサーバ１８に提供する。
【００４４】
図１の説明に戻る。ＤＲサーバ１８は、需給計画サーバ１７が提供した調整条件に基づいて、調整期間に所定の電気料金で充電または放電する調整対象の蓄電池１３を募集し、募集に対して応募した蓄電池の中から調整対象の蓄電池１３を調整条件に基づいて決定する。なお、ＤＲサーバ１８は、電力会社または電力会社に替わって多数の需要家の需要をまとめて制御するアグリゲータなどにより所有されている。
【００４５】
図５は、ＤＲサーバ１８の構成を示すブロック図である。
【００４６】
ＤＲサーバ１８は、通信部１８１と、記憶部１８２と、ＣＰＵ（Ｃｅｎｔｒａｌ  Ｐｒｏｃｅｓｓｉｎｇ  Ｕｎｉｔ）１８３とを有する。
【００４７】
通信部１８１は、外部装置との通信インタフェースである。通信部１８１は、通信網１６を介して充放電制御装置１４および需給計画サーバ１７などと接続することができる。例えば、通信部１８１は、充放電制御装置１４から、調整期間に充電または放電を要求する旨の応募メッセージと、当該充放電制御装置１４が制御する蓄電池１３が充電または放電を行う条件である充放電条件とを受信してＣＰＵ１８３に出力する。また通信部１８１は、需給計画サーバ１７から、調整条件を受信してＣＰＵ１８３に出力する。
【００４８】
記憶部１８２は、ＤＲサーバ１８の動作を規定するプログラムや、このプログラムの実行に伴って用いられる各種のデータなどを記憶する。記憶部１８２が記憶するデータは、例えば、充放電制御装置１４から受信した充放電条件や、需給計画サーバ１７から受信した調整条件である。
【００４９】
ＣＰＵ１８３は、ＤＲサーバ１８を制御する。具体的には、ＣＰＵ１８３は、記憶部１８２に記憶されたプログラムを読み込み、その読み込んだプログラムを実行することで、調整条件取得部１８４、調整対象決定部１８５、および充放電制御部１８６などの機能を実現する。
【００５０】
調整条件取得部１８４は、電力需給の調整を行う調整期間ＴＰと、当該調整期間ＴＰにおける電力需要の予測値に基づいた調整電力とを取得する。本実施形態では、調整条件取得部１８４は、需給計画サーバ１７が決定した調整条件を通信部１８１を介して取得し、取得した調整条件を調整対象決定部１８５に出力する。
【００５１】
調整対象決定部１８５は、通信部１８１を介して充放電制御装置１４から蓄電池１３の充放電条件を取得し、この充放電条件と、調整条件取得部１８４が出力した調整条件とに基づいて、蓄電池１３が調整対象の蓄電池か否かを決定する。このとき、調整対象決定部１８５は、調整期間に調整対象外の蓄電池１３よりも有利な電気料金で充電または放電する調整対象の蓄電池１３を募集し、調整対象の蓄電池１３が充電する電力または放電する電力の合計が当該調整期間における調整電力となるように、当該募集に対して応募した蓄電池１３の中から調整対象の蓄電池１３を決定する。
【００５２】
具体的には、調整対象決定部１８５は、まず調整条件取得部１８４が出力した調整条件から、調整期間における電気料金を含む、より詳細な調整条件を決定する。
【００５３】
図６は、調整対象決定部１８５が決定する詳細な調整条件について説明するための図である。
【００５４】
調整対象決定部１８５は、調整期間ＴＰをさらに細かい分割期間に分けて、この分割期間をそれぞれ識別するための時間ラベルを各分割期間に付与する。そして、需給計画サーバ１７から取得した調整条件が示す調整電力に基づいて、各分割期間の調整電力を決定する。また、調整対象決定部１８５は、各分割期間において、調整対象の蓄電池１３の充電または放電に掛かる所定の電気料金を決定する。このとき調整対象決定部１８５は、調整電力が蓄電池１３に充電させる電力である場合、調整期間における調整対象の蓄電池１３の充電に掛かる電気料金である第３の電気料金ｃを、調整期間外における調整対象外の蓄電池１３の充電に掛かる電気料金である第１の電気料金ａよりも低くする。また調整対象決定部１８５は、調整電力が蓄電池１３に放電させる電力である場合、調整期間における調整対象の蓄電池１３の放電に掛かる電気料金である第５の電気料金ｅを、調整対象外の蓄電池１３の放電に掛かる電気料金である第４の電気料金ｄよりも高くする。
【００５５】
図７は、各期間における電気料金の関係の一例を示す図である。図７の上部には、電力線網１５から電気を買い取る（蓄電池１３が充電する）場合の電気料金が示される。調整対象外の蓄電池１３が通常の充電を行う場合、調整期間ＴＰの第２の電気料金ｂは、調整期間外の第１の電気料金ａよりも高い。また、調整対象の蓄電池１３が調整期間ＴＰに充電する場合の第３の電気料金ｃは、第１の電気料金ａよりも低い。したがって、ｃ＜ａ＜ｂの関係が成り立つ。
【００５６】
また、図７の下部には、電力線網１５に電気を売る（蓄電池１３が放電する）場合の電気料金が示される。調整対象外の蓄電池１３が放電する場合の第４の電気料金ｄは、調整期間ＴＰ内であるか否かに関わらず一定であり、調整対象の蓄電池１３が調整期間ＴＰに放電する場合の第５の電気料金ｅは、電気料金ｄよりも高い。
【００５７】
なお、ここでは調整期間内外でそれぞれ電気料金が一定である例が示されたが、本発明はかかる例に限定されない。各電気料金の大小関係が保たれていれば、電気料金は一定でなくてもよい。
【００５８】
図８は、調整対象決定部１８５が決定した詳細な調整条件を示す図である。
【００５９】
この例では、調整対象決定部１８５は、調整期間ＴＰを２０分ごとＮ個の分割期間に分け、各分割期間の電気料金は一律に５円／ｋＷｈとする。また各分割期間の調整電力は、需給計画サーバ１７から取得した調整条件が示す調整電力に応じた値となる。
【００６０】
そして調整対象決定部１８５は、決定した詳細な調整条件を各充放電制御装置１４に提示し、提示した調整条件で充電または放電する蓄電池１３を募集する。このとき詳細な調整条件は、分割期間と各分割期間の電気料金を含み、充放電制御装置１４は、この調整条件と、蓄電池１３に蓄えられた電力を使用する予定量および予定時間などに基づいて、蓄電池１３の充放電を計画する。そして充放電制御装置１４は、調整期間内に調整対象の蓄電池１３として充放電することを希望する場合、調整対象の蓄電池に応募する旨を示す応募メッセージを出力し、調整対象決定部１８５は、この応募メッセージを取得する。
【００６１】
応募メッセージは、例えば蓄電池１３を識別するためのＩＤと、この蓄電池１３が充電又は放電を要求する分割期間と、要求する充電電力または放電電力とを含む。この例では、調整対象決定部１８５は、応募メッセージに含まれる充電又は放電を要求する分割時間と、充電電力とを充電条件とする。また調整対象決定部１８５は、各分割期間内で充電または放電を要求する蓄電池１３に優先順位をつける。調整対象決定部１８５は、この優先順位を、例えば応募メッセージの到着順で決定したり、予め定めた時刻に、その時点で応募メッセージを受け付けた蓄電池１３からランダムに決定したりする。蓄電池１３の優先順位をランダムに決定する方法としては、蓄電池１３をランダムに選択していき、その選択した順に応じて優先順位を決定する方法や、蓄電池１３に乱数を付与して付与された数の順番に並び替える方法などがある。
【００６２】
図９は、優先順位づけられた蓄電池１３の充電条件の一例を示す図である。調整対象決定部１８５は、このように分割期間ごとにつけた優先順位に基づいて、各分割期間に調整対象の蓄電池１３に応募した蓄電池１３から調整対象の蓄電池１３を決定する。
【００６３】
図９に示す蓄電池１３に関する情報は、「ＬＩＢ」に続けて数字が付加された記号で示される蓄電池１３のＩＤと、「Ｗ」単位で示された充電電力とを含む。例えば時間ラベル１における優先順位が１番目の蓄電池１３のＩＤは「ＬＩＢ９」であり、この蓄電池１３が要求している充電電力は、１ｋＷである。
【００６４】
また優先順位値基づいて調整対象の蓄電池１３を決定する方法は、具体的には、調整対象決定部１８５は、優先順位の高い蓄電池１３から順に、各分割期間の充電電力を累積加算して、その累積値が計画した調整電力に達したか否かを判断する。そして調整対象決定部１８５は、累積値が調整電力に達した場合、その優先順位の蓄電池１３までを、調整対象の蓄電池１３とする。例えば優先順位が１〜Ｋ番目の蓄電池１３の充電電力を累積した値が、計画した調整電力に達した場合、調整対象決定部１８５は、優先順位が１〜Ｋ番目の蓄電池１３を調整対象の蓄電池とし、調整対象の蓄電池１３以外は調整対象外の蓄電池とする。したがって、Ｋ＋１番目以降の蓄電池１３と、充電または放電を要求しなかった蓄電池１３は、調整対象外の蓄電池となる。調整対象決定部１８５は、調整対象の蓄電池１３を決定すると、充電または放電を要求した蓄電池１３に対して、調整対象の蓄電池１３であるか否かを通知する。
【００６５】
図１０は、優先順位づけられた蓄電池１３の充電条件の他の一例を示す図である。この例では、応募メッセージは、蓄電池１３のＩＤ、この蓄電池１３が充電または放電を要求する分割期間、および蓄電池１３が要求する充電電力または放電電力に加えて、さらに充電または放電に対する希望電気料金を含む。ここでは、希望電気料金は１ｋＷｈ当たりの値段で示されている。この場合、調整対象決定部１８５は、希望電気料金に基づいて、優先順位を決めることができる。例えば、図１０の例では、調整対象決定部１８５は、充電を要求する蓄電池１３について、分割期間ごとに希望電気料金が高い順に優先順位をつけている。調整対象決定部１８５は、図９の例と同様に、優先順位に基づいて、各分割期間に充電を要求する蓄電池１３から調整対象の蓄電池１３を決定する。
【００６６】
また、図９および図１０に示した例では、充電電力または放電電力が蓄電池１３ごとに異なり、希望する充電電力または放電電力のレベルが応募メッセージに含まれることとしたが、蓄電池１３の充電電力または放電電力を固定値とすることもできる。
【００６７】
図１１は、充電電力または放電電力を固定とする場合に、調整対象決定部１８５が決定する詳細な調整条件の一例について説明するための図である。
【００６８】
図１１に示すように、充電電力または放電電力を固定値とした場合、調整対象決定部１８５は、調整条件として、各分割期間の調整電力に代えて蓄電池１３の必要数を用いることができる。
【００６９】
図１２は、充電電力を固定とした場合に、調整対象決定部１８５が決定した詳細な調整条件の一例を示す図である。調整対象決定部１８５は、各蓄電池１３に対する電気料金を一律に１ｋＷｈ当たり５円とすると、需給計画サーバ１７から取得した調整条件が示す調整電力と充電電力とに基づいて、各分割期間に充電または放電させる蓄電池１３の必要数を決定する。
【００７０】
そして調整対象決定部１８５は、決定した詳細な調整条件を各充放電制御装置１４に通知して、提示した調整条件で充電または放電することの可能な調整対象の蓄電池１３を募集する。これに対して充放電制御装置１４は、提示された調整条件と、蓄電池１３に蓄えられた電力を使用する予定量および予定時間などに基づいて、蓄電池１３の充放電を計画する。そして充放電制御装置１４は、調整期間内に調整対象の蓄電池１３として充放電することを希望する場合、調整対象の蓄電池に応募する旨を示す応募メッセージを出力し、調整対象決定部１８５は、この応募メッセージを取得する。
【００７１】
応募メッセージは、例えば充電または放電を要求する蓄電池１３を識別するためのＩＤと、この蓄電池１３が充電又は放電を要求する分割時間とを含む。この例では、充電電力または放電電力は固定レベルなので、応募メッセージは要求する充電電力または放電電力を含まなくてよい。また調整対象決定部１８５は、各分割期間内で充電または放電を要求する蓄電池１３に優先順位をつける。調整対象決定部１８５は、この優先順位を、例えば応募メッセージの到着順で決定する。
【００７２】
図１３は、優先順位づけられた蓄電池１３を一覧にした表である。また、この例では、調整条件が決定した時点で、蓄電池１３の必要数が決まる。また、優先順位は応募メッセージの到着順とするため、図１３の表は、各分割期間に対して決まった必要数分のＩＤを保持し、必要数を超える部分については禁止の値が予め格納されてＩＤを保持することができないようになっている。調整対象決定部１８５は、このように分割期間ごとにつけられた優先順位に基づいて、各分割期間に充電又は放電を要求する蓄電池１３から調整対象の蓄電池１３を決定する。この例では、調整対象決定部１８５は、優先順位が高い方から必要数分の蓄電池１３を調整対象の蓄電池１３とする。
【００７３】
図５の説明に戻る。
【００７４】
充放電制御部１８６は、調整対象決定部１８５が決定した調整対象の蓄電池１３に、調整対象となった分割期間において充電または放電させる。具体的には、本実施形態では、蓄電池１３は、この蓄電池１３と接続された充放電制御装置１４が通知された電気料金に応じて計画した期間に充電または放電されるため、充放電制御部１８６は、蓄電池１３の電気料金を通知することで、調整対象の蓄電池１３の充放電を間接的に制御することになる。例えば、蓄電池１３が充電電力の調整対象となった場合、その分割期間において、この蓄電池１３が充電する場合の電気料金は、他の時間帯よりも低くなる。このため、この電気料金を示す情報を取得した充放電制御装置１４は、調整対象となった分割期間に充電するように蓄電池１３の充電を制御する。
【００７５】
図１４は、ＤＲサーバ１８の電力需給調整動作について説明するためのフローチャートである。
【００７６】
ＤＲサーバ１８の調整条件取得部１８４は、まず需給計画サーバ１７から調整条件を取得する。調整条件取得部１８４は、取得した調整条件を調整対象決定部１８５に通知する（ステップＳ１００）。なお、需給計画サーバ１７から取得した調整条件には、調整期間と調整電力とが含まれている。
【００７７】
そして調整対象決定部１８５は、調整条件取得部１８４が取得した調整条件を受け取ると、この調整条件に基づいて、分割期間ごとのより詳細な調整条件を決定する（ステップＳ１０１）。具体的には、調整対象決定部１８５は、受け取った調整条件に含まれる調整期間の情報から、この調整期間をより細かく分けた分割期間を決定する。そして、調整対象決定部１８５は、分割期間ごとの調整電力と電気料金とを決定してより詳細な調整条件とする。
【００７８】
続いて調整対象決定部１８５は、決定した詳細な調整条件を提示して充放電を要求する蓄電池１３を募集する（ステップＳ１０２）。これにより蓄電池１３の充放電を要求する分割時間を含む応募メッセージがＤＲサーバ１８に送信される。
【００７９】
そして調整対象決定部１８５は、応募メッセージを受信すると、充放電を要求する蓄電池１３に優先順位をつける（ステップＳ１０３）。このとき調整対象決定部１８５は、応募メッセージを受信した順番に応じて、蓄電池１３に優先順位をつけることができる。または調整対象決定部１８５は、乱数を用いて優先順位を決定することもできる。
【００８０】
また調整対象決定部１８５は、決定した優先順位に基づいて、充放電を要求する蓄電池１３から調整対象の蓄電池を決定する（ステップＳ１０４）。具体的には、充放電電力が固定でない場合、調整対象決定部１８５は、優先順位の高い蓄電池１３から順に充放電電力を累積加算して、その累積値が計画した調整電力に達したか否かを判断する。そして調整対象決定部１８５は、累積値が調整電力に達した場合、その優先順位の蓄電池１３までを、調整対象の蓄電池１３とする。また、充電電力または放電電力が固定である場合、調整対象決定部１８５は、優先順位の高い蓄電池１３から必要数分の蓄電池１３を調整対象の蓄電池１３とする。
【００８１】
続いて充放電制御部１８６は、調整対象の蓄電池１３の充放電を制御する（ステップＳ１０５）。具体的には、充放電制御部１８６は、調整対象の蓄電池に調整対象となった分割期間において、充電する場合の電気料金を低く、放電する場合の電気料金を高くすることで、間接的に蓄電池１３の充放電を制御する。
【００８２】
以上説明したように、本実施形態によれば、電力需給の調整を行う調整期間に所定の電気料金で充電または放電する調整対象の蓄電池が募集される。そして、募集に対して応募した蓄電池の中から、調整電力に基づいて調整対象の蓄電池が決定される。また決定された調整対象の蓄電池は、調整期間に調整対象外の蓄電池と異なる電気料金で充電または放電される。これにより、調整電力に応じた数の蓄電池にだけ調整期間の電気料金が安くできるため、調整対象の蓄電池と調整対象外の蓄電池とで電気料金が有利な時間帯を異ならせることができ、充電または放電する時間が分散されるようになる。したがって、電力システムの安定性を向上させることが可能になる。
【００８３】
また、本実施形態では、調整対象外の蓄電池に対する電気料金として、調整対象外の蓄電池が調整期間外に充電する場合の第１の電気料金と、調整対象外の蓄電池が調整期間に充電する場合の電気料金であり、第１の電気料金より高い第２の電気料金とが取得される。そして、第１の電気料金よりも低い第３の電気料金を、調整対象の蓄電池が調整期間に充電する場合の所定の電気料金として、調整対象の蓄電池が募集される。これにより、第３の電気料金は、第１および第２の電気料金よりも低くなり、調整対象の蓄電池となる方が蓄電池の保有者にとって有利な電気料金となるため、調整対象の蓄電池への応募を得やすくなり、より確実に電力システムの安定性を向上させることが可能になる。
【００８４】
また、本実施形態では、調整対象外の蓄電池に対する電気料金として、調整対象外の蓄電池が放電する場合の第４の電気料金が取得される。そして、第４の電気料金よりも高い第５の電気料金を、調整対象の蓄電池が調整期間に放電する場合の所定の電気料金として、調整対象の蓄電池が募集される。これにより、調整対象の蓄電池となる方が蓄電池の保有者にとって有利な電気料金となるため、調整電力の分だけ必要な蓄電池の応募を得やすくなり、より確実に電力システムの安定性を向上させることが可能になる。
【００８５】
また、本実施形態では、調整対象の蓄電池の充電電力または放電電力を固定値とし、調整電力に応じて定まる台数の蓄電池が調整対象の蓄電池とされる。これにより、各蓄電池の充電電力または放電電力に基づいて、合計の充電電力または放電電力を計算することなく、応募した蓄電池の中から調整対象の蓄電池を決定することができるため、調整対象の蓄電池を決定するための計算量を低減することが可能になる。
【００８６】
また、本実施形態では、複数の蓄電池のそれぞれから充電または放電に対する電気料金の入札額を受け付け、この入札額に基づいて、調整対象の蓄電池が決定される。これにより、需給バランスに応じた料金で蓄電池の充電または放電が行われ、調整電力分の電力を調整するために必要な蓄電池の応募を得やすくなり、より確実に電力システムの安定性を向上させることが可能になる。
【００８７】
また、本実施形態では、調整期間が複数の分割期間に分けられ、分割期間ごとに調整対象の蓄電池が決定される。これにより、より細かい時間をひとつの単位として調整対象の蓄電池を募集することが可能になる。蓄電池は、電力線網に接続され、充電または放電を行うことが可能な時間帯に調整対象の蓄電池が募集されている場合、この募集に対して応募することができる。このため、細かい時間をひとつの単位として調整対象の蓄電池を募集することで、この募集に対する蓄電池の応募を得やすくなり、より確実に電力システムの安定性を向上させることが可能になる。また、より多くの蓄電池を調整対象の蓄電池とすることができるため、調整対象の蓄電池に対する電気料金が多くの蓄電池に適用される可能性が高まり、不公平感を低減することが可能になる。
【００８８】
また、本実施形態では、供給電力は、環境条件に応じて決まる第１供給電力と、予測された需要電力と第１供給電力との差に応じた調整用の第２供給電力とを含み、調整期間は、第２供給電力が所定の範囲外となる期間とされる。そして、第２供給電力が所定の範囲外となる期間、例えば第２供給電力が所定の範囲の下限を下回る場合、調整期間に調整対象の蓄電池が充電され、例えば第２供給電力が所定の範囲の上限を上回る場合、調整期間に調整対象の蓄電池が放電される。これにより、電力需要が小さすぎて電力システムの安定性が損なわれる可能性がある場合、蓄電池の充電により電力需要が増加し、電力需要が大きすぎて電力システムの安定性が損なわれる可能性がある場合、蓄電池の放電により供給電力が増加するため、より確実に電力システムの安定性を向上させることが可能になる。
【００８９】
以上、実施形態を参照して本願発明を説明したが、本願発明は上記実施形態に限定されるものではない。本願発明の構成や詳細には、本願発明のスコープ内で当業者が理解し得る様々な変更をすることができる。
【００９０】
例えば、上記実施形態では、ＤＲサーバ１８が電気料金を提示することとしたが、本発明はかかる例に限定されない。図１５Ａおよび図１５Ｂは、電気料金を示す情報の掲示方法について説明するための図である。上記実施形態では、図１５Ａに示されるように、ＤＲサーバ１８が電気料金を含む掲示情報を掲示していた。これに対して、図１５Ｂに示されるように、ＤＲサーバ１８とは別体の掲示板サーバ１９を設けてもよい。この場合、ＤＲサーバ１８の充放電制御部１８６は、各蓄電池１３に対する電気料金を示す情報を生成すると、生成した情報を掲示情報として掲示板サーバ１９に送信する。掲示板サーバ１９は、充放電制御装置１４からの要求に応じて、各蓄電池１３に対する電気料金を示す掲示情報を提供する。
【００９１】
また、上記実施形態では、蓄電池１３と接続された充放電制御装置１４に電気料金を通知することで、ＤＲサーバ１８は、蓄電池１３に間接的に充電または放電させることとしたが、本発明はかかる例に限定されない。例えば、ＤＲサーバ１８が直接蓄電池１３の充電または放電を制御してもよい。
【００９２】
また、上記実施形態では、需給計画サーバ１７とＤＲサーバ１８とは別体の装置であることとしたが、本発明はかかる例に限定されない。例えば、需給計画サーバ１７とＤＲサーバ１８とは一体の装置であってもよい。または、需給計画サーバ１７およびＤＲサーバ１８の機能の一部が別のサーバ装置上で実現されてもよい。
【００９３】
なお、上述のような本実施形態にかかるＤＲサーバ１８の各機能を実現するためのコンピュータプログラムを作成し、パーソナルコンピュータ等に実装することが可能である。また、このようなコンピュータプログラムが格納された、コンピュータで読み取り可能な記録媒体も提供することができる。記録媒体は、例えば、磁気ディスク、光ディスク、光磁気ディスク、フラッシュメモリなどである。また、上記のコンピュータプログラムは、記録媒体を用いずに、例えばネットワークなどを介して配信されてもよい。
【００９４】
また、上記の各実施形態の一部又は全部は、以下の付記のように記載することが可能であるが、以下には限定されない。
【００９５】
［付記１］
電力需給の調整を行う調整期間と、当該調整期間に調整する電力である調整電力とを取得する取得部と、
前記調整期間に所定の電気料金で充電または放電する調整対象の蓄電池を募集し、前記募集に対して応募した蓄電池の中から前記調整対象の蓄電池を前記調整電力に基づいて決定する調整対象決定部と、
前記調整期間において、前記調整対象の蓄電池を前記所定の電気料金で充電または放電させ、前記調整対象の蓄電池とは異なる調整対象外の蓄電池を前記所定の電気料金とは異なる電気料金で充電または放電させる制御部と、を備える電力需給調整装置。
【００９６】
［付記２］
前記蓄電池は、当該蓄電池に接続された充放電制御装置が通知された電気料金に応じて計画した期間に充電または放電され、
前記制御部は、前記調整対象の蓄電池に接続された前記充放電制御装置に前記調整期間の電気料金として前記所定の電気料金を通知し、前記調整対象外の蓄電池に接続された前記充放電制御装置に前記調整期間の電気料金として前記所定の電気料金と異なる電気料金を通知する、付記１に記載の電力需給調整装置。
【００９７】
［付記３］
前記取得部は、前記調整対象外の蓄電池に対する電気料金として、前記調整期間における前記調整対象外の蓄電池の充電に掛かる電気料金である第１の電気料金と、前記第１の電気料金よりも低く、前記調整期間外における前記調整対象外の蓄電池の充電に掛かる電気料金である第２の電気料金とを取得し、
前記調整対象決定部は、前記第２の電気料金よりも低く、前記調整期間における前記調整対象の蓄電池の充電に掛かる電気料金である第３の電気料金を前記所定の電気料金として前記調整対象の蓄電池を募集する、付記１または２に記載の電力需給調整装置。
【００９８】
［付記４］
前記取得部は、前記調整対象外の蓄電池に対する電気料金として、前記調整対象外の蓄電池の放電に掛かる電気料金である第４の電気料金を取得し、
前記調整対象決定部は、前記第４の電気料金よりも高く、前記調整期間における前記調整対象の蓄電池の放電に掛かる電気料金である第５の電気料金を前記所定の電気料金として前記調整対象の蓄電池を募集する、付記１または２に記載の電力需給調整装置。
【００９９】
［付記５］
前記調整対象決定部は、前記調整対象の蓄電池の充電電力または放電電力を固定値とし、前記調整電力および前記固定値に応じて定まる台数の前記蓄電池を前記調整対象の蓄電池とする、付記１ないし４のいずれか１項に記載の電力需給調整装置。
【０１００】
［付記６］
前記調整対象決定部は、前記応募した蓄電池のそれぞれから充電または放電に対する電気料金の入札額を受け付け、当該入札額に基づいて、前記応募した蓄電池から前記調整対象の蓄電池を決定する、付記１ないし５のいずれか１項に記載の電力需給調整装置。
【０１０１】
［付記７］
前記調整対象決定部は、前記調整期間を複数の分割期間に分け、当該分割期間ごとに前記調整対象の蓄電池を決定する、付記１ないし６のいずれか１項に記載の電力需給調整装置。
【０１０２】
［付記８］
環境条件に応じて決まる第１供給電力、および予測された電力需要と前記第１供給電力との差に応じた調整用の第２供給電力とを含む電力が供給され、
前記調整期間は、前記第２供給電力が所定の範囲外となる期間である、付記１ないし７のいずれか１項に記載の電力需給調整装置。
【０１０３】
［付記９］
前記取得部は、前記第２供給電力が前記所定の範囲の下限値を下回る場合、前記調整電力として前記調整対象の蓄電池に充電させる電力を取得し、前記第２供給電力が前記所定の範囲の上限値を上回る場合、前記調整電力として前記調整対象の蓄電池に放電させる電力を取得する、付記８に記載の電力需給調整装置。
【０１０４】
［付記１０］
蓄電池と、前記蓄電池および電力線網と接続され、当該接続された蓄電池の充放電を制御する充放電制御装置と、前記電力線網に対する電力需給を調整する電力需給調整装置と、を備え、
前記電力需給調整装置は、
電力需給の調整を行う調整期間と、当該調整期間に調整する電力である調整電力とを取得する取得部と、
前記調整期間に所定の電気料金で充電または放電する調整対象の蓄電池を募集し、前記募集に対して応募した蓄電池の中から前記調整対象の蓄電池を前記調整電力に基づいて決定する調整対象決定部と、
前記調整期間において、前記調整対象の蓄電池を前記所定の電気料金で充電または放電させ、前記調整対象の蓄電池とは異なる調整対象外の蓄電池を前記所定の電気料金とは異なる電気料金で充電または放電させる制御部と、を有し、
前記充放電制御装置は、自身に接続された蓄電池の代わりに、前記募集に対して応募する、電力システム。
【０１０５】
［付記１１］
前記充放電制御装置は、通知された電気料金に応じて、前記蓄電池が充電または放電する期間を計画し、
前記制御部は、前記充放電制御装置に前記電気料金を通知することで、前記調整期間において前記調整対象の蓄電池に充電または放電させる、付記１０に記載の電力システム。
【０１０６】
［付記１２］
電力需給の調整を行う調整期間と、当該調整期間に調整する電力である調整電力とを取得し、
前記調整期間に所定の電気料金で充電または放電する調整対象の蓄電池を募集し、
前記募集に対して応募した蓄電池の中から前記調整対象の蓄電池を前記調整電力に基づいて決定し、
前記調整期間において、前記調整対象の蓄電池を前記所定の電気料金で充電または放電させ、前記調整対象の蓄電池とは異なる調整対象外の蓄電池を前記所定の電気料金とは異なる電気料金で充電または放電させる、電力需給調整方法。
【０１０７】
この出願は、２０１３年９月１７日に出願された日本出願特願２０１３−１９１６０７を基礎とする優先権を主張し、その開示の全てをここに取り込む。
【符号の説明】
【０１０８】
１０      電力システム
１１      発電機
１２      消費機器
１３      蓄電池
１４      充放電制御装置
１５      電力線網
１６      通信網
１７      需給計画サーバ
１８      ＤＲサーバ
１８１    通信部
１８２    記憶部
１８３    ＣＰＵ
１８４    調整条件取得部（取得部）
１８５    調整対象決定部
１８６    充放電制御部（制御部）
【図１】
2015041010.tif 000003
【図２Ａ】
2015041010.tif 000004
【図２Ｂ】
2015041010.tif 000005
【図３Ａ】
2015041010.tif 000006
【図３Ｂ】
2015041010.tif 000007
【図４】
2015041010.tif 000008
【図５】
2015041010.tif 000009
【図６】
2015041010.tif 000010
【図７】
2015041010.tif 000011
【図８】
2015041010.tif 000012
【図９】
2015041010.tif 000013
【図１０】
2015041010.tif 000014
【図１１】
2015041010.tif 000015
【図１２】
2015041010.tif 000016
【図１３】
2015041010.tif 000017
【図１４】
2015041010.tif 000018
【図１５Ａ】
2015041010.tif 000019
【図１５Ｂ】
2015041010.tif 000020
【国際調査報告】
2015041010.tif 000021
2015041010.tif 000022